(57)【要約】本発明は、安全にされた無線ネットワークにインストールされる、内蔵ＩＲ機能を備えた新しい機器へのセキュリティ・パラメータの転送を可能にするリモート・コントローラのような、装置に関する。前記セキュリティ・パラメータは、前記ネットワークを介した通信の暗号化用に用いられる暗号化鍵を有する。前記装置は、ユーザに、無線ネットワークを介した通信の暗号化用に用いられる暗号化鍵を少なくとも有する前記セキュリティ・パラメータを入力することを可能にさせる入力装置を有する。前記セキュリティ・パラメータは、メモリ部に記憶される。その後、前記セキュリティ・パラメータは、セキュリティ・パラメータに関する赤外線信号を介して前記新しい機器へ更に伝送され得る。
2005538636.tif 000002
【特許請求の範囲】
【請求項１】
無線ネットワークを介した通信の暗号化用に用いられる暗号化鍵を少なくとも有するセキュリティ・パラメータのセットを入力するのを可能にする入力モジュールと、
前記セキュリティ・パラメータのセットを記憶する記憶部と、
無線ネットワークを介しての第２機器のセットアップ用の前記セキュリティ・パラメータのセットに関する赤外線を第１赤外線制御可能機器へ伝送する赤外線照射器と、
を有する、装置。
【請求項２】
前記装置が、更に、前記第２機器と等しい前記第１赤外線制御可能機器を操作するステップを可能にする、請求項１に記載の装置。
【請求項３】
前記第１機器が、前記セキュリティ・パラメータのセットを前記第２機器へ通信する、請求項１に記載の装置。
【請求項４】
前記入力モジュールが、ユーザインターフェースを有し、該ユーザが、当該ユーザインターフェースを介して暗号化鍵を手動で入力する、請求項１に記載の装置。
【請求項５】
前記入力モジュールが、キーボードを有する、請求項１に記載の装置。
【請求項６】
前記入力モジュールが、前記セキュリティ・パラメータを前記無線ネットワークのアクセスポイントから前記装置へ転送するコネクタを更に有する、請求項１に記載の装置。
【請求項７】
前記入力モジュールが、前記装置を前記無線ネットワークのアクセスポイントに結合された別の信頼された機器へ接続するコネクタを更に有する、請求項１に記載の装置。
【請求項８】
前記入力モジュールは、赤外線センサであり、当該入力モジュールが、無線ネットワークでの別の機器から前記セキュリティ・パラメータのセットである入力赤外線信号を受信するように構成される、請求項１に記載の装置。
【請求項９】
前記赤外線照射器が、ＲＣ６赤外線プロトコルを用いて通信する、請求項１に記載の装置。
【請求項１０】
前記無線ネットワークが、ＩＥＥＥ８０２．１１ネットワークであり、前記セキュリティ・パラメータのセットが、有線同等プライバシ（ＷＥＰ）鍵を有する、請求項１に記載の装置。
【請求項１１】
ネットワークにおける機器へのセキュリティ・パラメータのセットの転送を可能にする方法であって、
当該方法が、
無線ネットワークを介したデータ通信の暗号化用の暗号化鍵を少なくとも有する前記セキュリティ・パラメータのセットの一部を、赤外線機能が備えられたリモート・コントローラへ通信することを可能にするステップと、
前記リモート・コントローラに前記セキュリティ・パラメータを記憶することを可能にさせるステップと、
前記リモート・コントローラに、前記無線ネットワークを介しての機器のセットアップ用の前記セキュリティ・パラメータに関する赤外線信号を赤外線制御可能機器へ通信することを可能にさせるステップと、
を有する、当該方法。
【請求項１２】
前記機器が、前記セキュリティ・パラメータのセットを前記装置へ更に通信する、請求項１１に記載の方法。
【請求項１３】
前記機器及び前記装置が、ＵＰｎＰ、ＩＥＥＥ８０２．１１、ＲｅｎｄｅｚＶｏｕｓ、Ｂｌｕｅｔｏｏｔｈ又はＺｉｇｂｅｅの１つであるネットワークを介して通信する、請求項１１に記載の方法。
【請求項１４】
前記赤外線制御可能機器が、前記装置である、請求項１１に記載の方法。
【請求項１５】
ユーザに前記セキュリティ・パラメータを手動で入力することを更に可能にするステップを更に有する、請求項１１に記載の方法。
【請求項１６】
前記セキュリティ・パラメータが、前記無線ネットワークの別の信頼された機器から前記リモート・コントローラへ通信される、請求項１１に記載の方法。
【請求項１７】
前記信頼された機器が、前記無線ネットワークのアクセスポイントである、請求項１６に記載の方法。
【請求項１８】
前記赤外線信号が、該ＲＣ６赤外線プロトコルを用いて通信される、請求項１１に記載の方法。
【請求項１９】
前記無線ネットワークが、ＩＥＥＥ８０２．１１準拠ネットワークであり、前記セキュリティ・パラメータが、有線同等プライバシ（ＷＥＰ）鍵を有する、請求項１１に記載の方法。
【請求項２０】
無線ネットワークを介したデータ通信の暗号化用の暗号化鍵を少なくとも有するセキュリティ・パラメータを、赤外線機能が備えられたリモート・コントローラへ通信することを可能にするステップと、
前記リモート・コントローラに前記セキュリティ・パラメータを記憶することを可能にさせるステップと、
前記リモート・コントローラに、前記無線ネットワークを介しての第２機器の設定用のセキュリティ・パラメータに関する赤外線信号を第１赤外線制御可能機器へ通信することを可能にさせるステップと、
を実行する、媒体に記憶された計算機実行可能命令を有するソフトウェア・アプリケーション。
【請求項２１】
前記第１及び第２機器が、同じ機器である、請求項２０に記載のソフトウェア・アプリケーション。
【発明の詳細な説明】
【技術分野】
【０００１】
本発明は、無線ローカル・エリア・ネットワークの及びこれらのセットアップの分野に関する。本発明はまた、制御装置にも関し、特に、容易に再構成し又は新しいデータを再ロードし得る双方向リモート・コントローラに関する。
【０００２】
本発明はまた、無線ネットワークを介するセキュリティにも関し、特に、当該ネットワークの接続された機器が、当該ネットワークに関連するセキュリティ・パラメータを知ることが可能である手順に関する。
【背景技術】
【０００３】
ホーム・ネットワーキングは、家庭用電子機器産業の成長している領域になっている。ＩＥＥＥ８０２．１１、Ｚｉｇｂｅｅ、Ｂｌｕｅｔｏｏｔｈ及びＵｌｔｒａｗｉｄｅｂａｎｄ等のような無線標準規格は、家庭における機器間でのデジタル・オーディオ、ビデオ又はテキスト・コンテンツの転送を可能にする。各々の機器が、データ及び制御情報をネットワークにおける他の機器と通信すると共に交換することが可能である前に、各々の機器は、ネットワークにインストールされる必要があり、ネットワーク特性の知識を取得する必要がある。この件に関して、参照により本明細書に組み込まれた、米国特許文書第ＵＳ６，４３４，４４７号に参照がされ、この特許文書は、プラグ・アンド・プレイ機能を有するネットワーク・システムを説明し、そこにおいては、コントローラは、機器の特定の機能性を制御するモダリティ（ｍｏｄａｌｉｔｙ）を記述する、ネットワークにおける新しい機器の抽象的表現を得る。その後コントローラは、コントローラの制御機能を閲覧し得、機器の機能性の制御を適切なモダリティを用いて当該コントローラの制御機能と関連付けさせ得る。
【０００４】
無線データ通信は、故意の破損から又は盗聴から、有線通信よりもより高いレベルで保護される必要があり、大抵のＷＬＡＮ又はＷＰＡＮにおいて通信を保護するのに、この方向に進歩がなされる。例えば、ＩＥＥＥ８０２．１１は、データ・フレームの中身を盗聴から保護するプライバシ・メカニズムを、有線ＬＡＮのレベルと同等であると考慮されるレベルの保護を提供する、いわゆる無線同等プライバシ（ＷＥＰ）メカニズムと組み合わせる。ＷＥＰは、データ・フレームの中身を取り込み、可変長暗号鍵であるＷＥＰ鍵を用いて、この中身を暗号化アルゴリズムに通す暗号化メカニズムである。このＷＥＰ鍵は、暗号化及び復号化局の両方によって、既知である。ＩＥＥＥは、通信データを暗号化又は復号化するＷＥＰ鍵を選択する２つのメカニズムを提供する。第１メカニズムは、安全にされたネットワークにおける全ての局によって共有される、デフォルト鍵（ｄｅｆａｕｌｔ・ｋｅｙ）を設定することである。第２メカニズムは、局に「鍵マッピング」関係を他の局と確立することを可能にするものである。第１メカニズムに対する第２メカニズムの有利な点は、より少ない局が鍵を所持し、当該鍵がより曝されにくいということである。しかし、第１メカニズムは、どの局にもネットワークにおける全ての他の局と安全に通信することを可能にさせる。
【０００５】
複数のＷＬＡＮが共存する場所において、セキュリティ・パラメータは、ＷＬＡＮを形成する一つ以上の局のグループに固有に関連付けられ得る。したがって、局は、様々なＷＬＡＮに関する異なるセットのセキュリティ・パラメータを用いて、様々な安全な重なる無線ネットワークの各々を介して、独立して通信することが可能である。セキュリティ・パラメータの各々のセットは、必要な場合に局が取得することが可能なそれぞれのネットワーク・プロファイルにおいて記憶され得る。同時係属中の米国特許出願の「無線ネットワークアクセス可能性の自動検出」、シリアル番号１０／１５１，３６０、代理人整理番号ＵＳ０２０１３２に参照がされる。この文書は、ユーザ機器が、検出された無線ネットワークにおいて当該機器のセキュリティ・パラメータのプロファイルに基づき通信し得るか決定するシステムを開示する。機器のプロファイルの一つが、検出されたネットワークに関する適切なセキュリティ・パラメータを含むと決定される場合、ユーザは、通知され、機器は、有効にされると共に当該ネットワークを介して通信するように設定もされ得る。
【０００６】
したがって、安全なネットワークを介して通信する局は、ネットワークを介した通信を安全にするために必要な暗号化鍵又は何れか他のセキュリティ・パラメータについて知る必要がある。プラグ・アンド・プレイ機器は、ユーザが、必要なセキュリティ層を構築するために、たびたび、セキュリティ・パラメータを手動で入力するか又は複雑で負担となる操作を実行することを義務付けられる、安全な無線ネットワークの場合に、機器イントールにおいて最小限度のユーザの参加を必要とする。
【０００７】
ネットワーク・プライバシ問題は、非熟達者にとって負担又はやる気をそぐような作業に容易になり得る、機器の高等なセットアップ及び特定の機器設定を伴い得る。本発明者は、ネットワークを介して操作する新しい機器を設定する簡単で安全な手順に関する要求があることを理解していた。
【発明の開示】
【発明が解決しようとする課題】
【０００８】
本発明の目的は、安全にされたネットワークにおける新しい機器の、簡単で、速くかつ信頼性の高い設定を可能にするシステムを提供することである。
【０００９】
本発明のもう一つの目的は、有利に、いくつかの家庭用電子機器機器の既存のＩＲ機能を無線ネットワークを介してこれら機器のインストール用に使用することである。
【課題を解決するための手段】
【００１０】
この目的を達するため、本発明のシステムは、無線ネットワークを介した通信の暗号化用の暗号化鍵を少なくとも有するセキュリティ・パラメータのセットの入力を可能にする入力モジュールを有する。当該装置はまた、セキュリティ・パラメータのセットを記憶する記憶部及び赤外線照射器も有する。当該装置は、無線ネットワークを介した第２機器のセットアップ用のセキュリティ・パラメータのセットに関係する赤外線信号を、第１赤外線制御可能機器へ通信する。本発明は、更に、制御可能な機器を無線ネットワークにインストールすると共に赤外線信号を介して前記装置へセキュリティ・パラメータのセットを通信する方法に関する。
【００１１】
本発明の装置は、セキュリティ・パラメータをロードして、当該装置が、更にこれらのパラメータを第１機器へ赤外線を介し伝達し得るようにしている。実施例において、第１及び第２機器は、実際には一つの機器であり得、そのような場合、無線ネットワークにインストールされる機器は、ＩＲ機能を有する。代わりに、第１及び第２機器は、無線又は有線リンクを介して、互いに接続され、セキュリティ・パラメータのセットを受信する第１機器は、これらパラメータを第２機器へ伝達し得る。本発明の装置は、フィリップス社によって現在製造されるＰｒｏｎｔｏのような従来型の学習リモート・コントローラであり得る。斯様なリモート・コントローラは、このコントローラが新しい制御コマンドを生成するのに用いる新しいデータ及び新しいコマンドコードをこのコントローラにロードすることによって、家庭における如何なる機器も制御するように構成され得る。したがって、リモート・コントローラは、これらセキュリティ・パラメータ、特に暗号化鍵が、ＩＲコマンドを介して制御可能である機器へ更に伝送され得るように、セキュリティ・パラメータをロードし得る。ＩＲ技術は、手ごろな価格で容易に実装され得、大抵の家庭用電子機器は、内蔵ＩＲ機能を備えて製造される。したがって、本発明において、ＩＲ制御可能機器が無線ネットワークに固有のセキュリティ・パラメータを知ることを可能にする広範囲のＩＲ技術の有利な点が、取られる。したがって、本発明の１つ以上実施例は、無線ネットワークを介して通信する無線機能及び内蔵ＩＲ機能の両方を有する機器を安全な無線ネットワークにインストールする簡単な手順を提供する。
【００１２】
本発明は、添付図面を参照にして、例示を用いて、更に詳細に説明される。
【００１３】
図面内の同じ又は対応する特徴を有する要素は、同様の参照符号によって示される。
【発明を実施するための最良の形態】
【００１４】
本発明は、既存の無線ネットワークにおける新しい機器の初期設定用のインストール処理に関する。機器がネットワークを介して通信するため、ネットワークで使用されるセキュリティ・パラメータを手に入れる必要がある。例えば、斯様なセキュリティ・パラメータは、ネットワークの局によって用いられる通信を安全にする暗号化鍵を有する。この暗号化鍵は、６４ビット鍵、鍵生成アルゴリズム又は暗号化パターンであり得る。本発明において、ネットワークにインストールされる機器は、ＩＲ機能を有する、という事実の有利な点が取られる。機器が適切なＩＲ機能を有しない場合、機器は、ＩＲ機能を有する別の機器と通信し得る、という事実の有利な点が取られる。斯様な機器は、例えば、リモート・コントローラからのＩＲコマンドを介して従来のように制御される、家庭におけるセットトップ・ボックス、テレビ及びステレオ・システムか、又は無線若しくは有線リンクを介して別のＩＲ機能機器へ接続される家庭におけるいずれかの機器である。リモート・コントローラは、ネットワークへの機器のインストール処理において、無線ネットワークに関するセキュリティ・パラメータをロードする。リモート・コントローラは、例えば、パラメータを当該リモート・コントローラへ安全な形式で伝送する、ネットワークのアクセスポイントに一時的に接続される。リモート・コントローラはまた、アクセスポイントが接続されるパソコンのような、無線ネットワークの信頼された機器にも接続され得る。したがって、ＩＲコマンドを介して機器を制御するように構成されるリモート・コントローラは、セキュリティ・パラメータを機器に容易に伝達し得る。このインストール処理は、リモート・コントローラにセキュリティ・パラメータを受信するのを可能にすると共に更にリモート・コントローラにこれらセキュリティ・パラメータをＩＲ信号の変調を経て機器へ伝達することを可能にする、ソフトウェア・アプリケーションのリモート・コントローラへのダウンロードによって実行可能にされ得る。リモート・コントローラは、更に、伝送されたセキュリティ・パラメータ等を認識するために機器を構成し得る。
【００１５】
図１は、無線ローカル・エリア・ネットワーク５００への機器４００のインストールを例証するシステムのブロック図である。ネットワーク５００、例えばＩＥＥＥ８０２．１１準拠ネットワークは、アクセスポイント２００及び局３００を含む。局３００は、ステレオ・システムのような、家庭における機器であり得る。この実施例は、以下のネットワーク５００への機器４００のインストールの文脈において説明される。機器４００は、無線ネットワーク５００を介して通信する８０２．１１機能を構築してある。機器４００は、例えば、アンテナ４６０のみが示される、埋め込み型無線モジュールを事前装備された個人向け娯楽セットトップ・ボックスであり、この個人向け娯楽セットトップ・ボックスは、機器４００がネットワーク５００に一度インストールされた家庭内において機器４００に別の局又はアクセスポイント２００からデジタル・オーディオ及びビデオ・コンテンツを受信することを可能にさせる。
【００１６】
機器４００は、リモート・コントローラ１００を介しＩＲ制御コマンドを通じて制御され得る。この目的を達するため、コントローラ１００及び機器４００の各々は、コントローラ１００及び機器４００にＩＲ変調符号化データを受信及び伝送することを可能にさせるＩＲセンサ及び伝送器の両方を備えるＩＲモジュール１５０及び４５０を有する。コントローラ１００は、新しい機器及び新しい機能性を制御するのに設定され得る双方向制御装置であり得る。コントローラ１００は、コントローラ１００が新しい制御コマンドを生成するのに構成される、新しいデータ及び新しい制御コードをコントローラが受信し得る学習モードに設定され得る。コントローラ１００のより詳細な実施例は、図２に示される。コントローラ１００は、処理ユニット１１０、メモリ１２０、ＩＲモジュール１５０並びにＩＲ受信器及び伝送器１３０を有する。ＩＲ受信器及び伝送器１３０はまた、ＩＲモジュール１５０に含まれ得る。処理ユニット１１０は、入力ＩＲ信号を処理するのと共に、ユーザ入力を処理してＩＲ信号を生成することによって変化をもたらすのに最低限必要とされる処理能力を有し得る。別の実施例において、コントローラ１００は、ディスプレイも有し得、また処理ユニット１１０は、オーディオ及びビデオ・データを処理する追加的な処理能力を有し得え、例えば、処理ユニットは、ビデオクリップをコントローラ１００のディスプレイに再生するＭＰＥＧ−４コーデックを有し得る。コントローラ１００は、内蔵ＩＲを備え、コントローラに機器を制御させると共に新しい制御コマンドを学ばせることを可能にするソフトウェア・アプリケーションをロードする、携帯電話又はパーソナル・デジタル・アシスタント（ＰＤＡ）でもあり得る。
【００１７】
この実施例において、ネットワーク５００は、通信を安全にし、盗聴を防ぐＷＥＰプライバシ・メカニズムを用いたＩＥＥＥ８０２．１１準拠ネットワークである。本発明は、ネットワークを介する通信のプライバシを確保するセキュリティ・パラメータの利用を必要とする、ＩＥＥＥ８０２．１１以外の如何なる種類の無線ネットワークも包含することを注意しなければならない。
【００１８】
ネットワーク５００を介して通信することを所望する如何なる局も、初めにネットワーク５００と関連付けられたセキュリティ・パラメータ、特に現在使用されているＷＥＰ鍵を獲得する必要がある。この実施例において、ＷＥＰ鍵は、アクセスポイント２００によって初期設定され、ネットワーク５００へ既にインストールされたアクセスポイント２００と局３００との両方によって既知である。
【００１９】
本発明において、ユーザーは、後に説明されるように、セキュリティ・パラメータ６００をコントローラ１００を用いて機器４００へ入力する。先に述べられたように、ネットワーク５００に関するセキュリティ・パラメータ６００のセットは、現在アクセスポイント２００及び局３００によって既知である。したがって、機器４００は、セキュリティ・パラメータ６００をアクセスポイント２００又は局３００のどちらかから取得し得る。別の実施例において、ユーザは、セキュリティ・パラメータ６００及びＷＥＰ鍵をコントローラ１００へコントローラ１００の又はコントローラ１００に結合されたユーザ・インターフェース又はキーボードを介して直接入力し得る。この実施例において、セキュリティ・パラメータ６００は、アクセスポイント２００から赤外線信号を介して機器４００へ通信される。アクセスポイント２００は、双方向赤外線モジュール２５０を有する。コントローラ１００は、コントローラ１００が、後に使用する新しいデータを、例えば新しい制御コードを他の機器から受信するように構成されるモードである、学習モードに一時的に設定される。ひとたび学習モードになると、コントローラ１００は、モジュール１５０のＩＲセンサが、モジュール２５０の照射範囲内にあるように配置される。その後ユーザは、アクセスポイント２００からコントローラ１００へのセキュリティ・パラメータ６００の転送を開始する。コントローラ１００は、受信されたセキュリティ・パラメータ６００をメモリ１２０に記憶する。処理ユニット１１０又はメモリ１２０は、本発明に従う、アクセスポイント２００から機器４００へのセキュリティ・パラメータの転送を可能にするソフトウェア・アプリケーションを事前にロードされていることが可能である。コントローラ１００は、セキュリティ・パラメータが、コントローラ１００から容易にハッキングされ得ないように、ネットワーク５００に固有のセキュリティ・パラメータ６００を、コントローラ１００が標準的な制御コマンド用のコードを典型的に記憶するよりも安全な形式で記憶するように構成され得る。加えて、セキュリティ・パラメータ６００は、より高いセキュリティに関して、アクセスポイント２００から機器４００へ伝送される場合、ＩＲを介する変調の前に更に暗号化され得る。
【００２０】
図１で示されるこの実施例は、ＷＥＰ鍵を含むセキュリティ・パラメータ６００をアクセスポイント２００からコントローラ１００へ伝達する赤外線技術を用いるが、図２は、有線リンク、例えばシリアル又はＵＳＢリンク等のような、如何なる他の種類のデータリンクも、セキュリティ・パラメータ６００を安全に転送するのに用いられ得ることを示す。コントローラ１００への伝送の場合に、処理ユニット１１０は、メモリ１２０へのセキュリティ・パラメータ６００の記憶を制御する。
【００２１】
その後、コントローラ１００は、コントローラが、情報データ及び制御コマンドを家庭内の他の機器へ伝送することが可能である、制御モードに設定される。
【００２２】
先述のように、機器４００は、ＩＲセンサを持つＩＲモジュール４５０を有する。コントローラ１００は、ＩＲ伝送器１３０が、モジュール４５０のＩＲセンサの受信範囲に位置するように、配置される。その後ユーザは、メモリ１２０に記憶されたセキュリティ・パラメータ６００であるＩＲ信号の機器４００への転送を開始し得る。モジュール１５０は、ＩＲ線の変調によりセキュリティ・パラメータで信号６００を生成する。
【００２３】
この点に関して、参照により本明細書に組み込まれた、同じ譲受人の米国特許第５，８７７，７０２号に参照がされる。この文書は、メッセージを伝送するリモート制御システムを開示し、そこにおいて、このメッセージの長さは、伝送されるべき情報の量及び操作コマンドの性質に適合される。セキュリティ・パラメータ６００は、マクロとしてコントローラ１００から及びコントローラ１００へ送信され得ることを注意しなければならない。マクロは、第１機器から第２機器へ送信されて第２機器を操作する事前プログラミングされた一連のコマンドである。コントローラ１００からの又はへのセキュリティ・パラメータ６００の転送用に用いられるＩＲプロトコルは、コントローラ１００が送信し得る制御コマンドの最大長を決定し得る。したがって、使用されるＩＲプロトコルに応じて、コントローラ１００は、セキュリティ・パラメータ６００を転送する２つ以上のコマンドをマクロとして送信する必要があり得る。
【００２４】
機器４００は、受信されたＩＲ信号からＷＥＰ鍵を含むセキュリティ・パラメータ６００を自動的に認識するように構成され得る。代わりに別の実施例において、ユーザは、コントローラ１００から受信されたＩＲ信号が、ネットワーク５００に関するセキュリティ・パラメータ６００を含むことを示すように、機器４００を事前設定しなければならないかもしれない。本発明の実施例において、コントローラ１００は、ユーザがネットワーク５００のセキュリティ・パラメータで機器４００を手動でセットアップをするのと同等の制御コマンドを、選択で機器４００へ伝送することを可能にするマクロを有する。この点に関して、参照により本明細書に組み込まれた、米国特許第５，４１４，４２６号に参照がされる。この文書は、リモート・コントローラのユーザにリモート・コントローラのキーボードでの一連のキーストローク・コマンドの入力によって少なくとも１つの好みのチャンネルを選択するマクロを定義することを可能にさせる、入力及び定義プログラムを備えるリモート・コントローラを開示する。リモート・コントローラは、このコントローラのメモリに、リモート・コントローラの操作者に、続いてＭＡＣＲＯキーを押圧すると、少なくとも一つの好みのチャンネルの素早い選択を実行することを可能にさせるプレイバック・プログラムを有する。
【００２５】
その後、ネットワーク５００への機器４００のインストールは、機器４００が、セキュリティ・パラメータ６００をＷＥＰ鍵と共に受信した後に従来通りに続行され得る。実際、いったん機器４００が、ＷＥＰ鍵を有すると、その後、機器４００及びアクセスポイント２００の間で、ＩＥＥＥ８０２．１１標準規格に記載の認証処理が実行され得る。
【００２６】
図２及び図３は、本発明の他の可能な実施例を示す。図３は、装置１００が、セキュリティ・パラメータを、アクセスポイント２００にも接続されているパソコン３００に接続されたドングル３１０から取得する実施例を示す。ドングル３１０は、入力において供給されたデータであるＩＲ信号を伝送することのみが可能である、ＩＲ伝送器又は受信器であり得る。ドングル３１０は、好ましくは安全な、すなわちデータが、ＰＣ３００からドングル３１０への伝送の前に暗号化される、例えばブルートゥース等の無線リンクを介して又は例えばＵＳＢ等の有線リンクを介して、ＰＣ３００へ接続される。ＰＣ３００は、信頼された機器であり、アクセスポイント２００とＰＣ３００との間の通信もまた、安全である。セキュリティ・パラメータ６００は、以下のようにアクセスポイント２００から取得され得る。ユーザは、セキュリティ・パラメータ６００又はネットワーク５００のプロファイルを取得するのに「セキュリティ・パラメータを取得する」というボタンを押し得る。ユーザがボタンを押すと、コントローラ１００は、学習モードに設定され、セキュリティ・パラメータ６００をドングル３１０に要求する。セキュリティ・パラメータ６００は、ＰＣ３００において、ＰＣ３００に記憶されたネットワーク５００のネットワーク・プロファイルに記憶され得る。代わりとして、ＰＣ３００は、セキュリティ・パラメータ６００をアクセスポイント２００に要求する。その後、ドングルは、ＰＣ３００から取得されたセキュリティ・パラメータ６００をＩＲモジュール３２０を介してコントローラ１００へ伝送する。その後ユーザは、セキュリティ・パラメータ６００を「セキュリティ・パラメータを転送する」というボタンを押すことによって機器４００へ転送し得る。その後機器４００は、図１に参照して説明されるように、セキュリティ・パラメータ６００を機器４００へ転送する。
【００２７】
図４は、本発明の別の実施例を示す。この実施例において、コントローラ１００は、例えばＵＳＢポートを介してＰＣ３００へ接続されており、セキュリティ・パラメータ６００をＰＣ３００から直接に取得する。しかし、この実施例において、コントローラ１００は、セキュリティ・パラメータ６００を、直接機器４００へ伝送しない。機器４００は、少なくとも機器３３０も有するネットワーク３４０に属する。ネットワーク３４０は、例えば、ＵＰｎＰネットワーク、アップル社のＲｅｎｄｅｚＶｏｕｓネットワーク又はネットワーク５００と異なる別の無線ネットワークである。機器３３０及び機器４００は、ネットワーク３４０を介して互いに安全に通信し得る。この実施例において、機器３３０は、ＩＲ機能があり、コントローラ１００を介して制御可能であり得る。ユーザは、セキュリティ・パラメータ６００をコントローラ１００からＩＲコマンドを介して機器３３０へ伝送し、その後、機器３３０は、セキュリティ・パラメータ６００をネットワーク３４０を介して機器４００へ伝達する。例えば、機器３３０は、セキュリティ・パラメータ６００に関するＵＰｎＰコマンドを機器４００へ伝送する。
【００２８】
記述された方法に関しての態様変更又は改良は、本発明の範囲から逸脱することなく提案され得ることを注意されるべきである。例えば、この方法は、有線電子回路によって又は、代わりに、計算機読取可能媒体に記憶された命令セットであって、当該命令セットが、少なくとも前記回路の一部に置き換わり、前記置き換わられた回路で果たされる同じ機能を実行するため、計算機又はデジタル処理器の制御の元に実行可能である当該命令セットによるような、さまざまな態様で実行され得ることは明らかである。したがって、本発明は、与えれた例示に制限されない。
【図面の簡単な説明】
【００２９】
【図１】図１は、本発明の装置の使用例を示す。
【図２】図２は、本発明の装置を示す。
【図３】図３は、本発明の装置の他の使用例を示す。
【図４】図４は、本発明の装置の他の使用例を示す。
【図１】
2005538636.tif 000003
【図２】
2005538636.tif 000004
【図３】
2005538636.tif 000005
【図４】
2005538636.tif 000006
【国際調査報告】
2005538636.tif 000007
2005538636.tif 000008
2005538636.tif 000009
2005538636.tif 000010